(57)【要約】排泄可能なストーマパウチは、それらの間に空間を有する可撓性のシート材料の側壁と、ネック部分を上方に折り畳むことによって閉鎖され、そのネック部分を下方に広げることによって開放される、排泄口を終端とする下方に伸びるネック部分を有している。ネック部分の側壁は、硬いが可撓性のスプリングのようなプラスチック材料で形成された横方向に伸びるバイアス部材を備えている。そのバイアス部材は通常は真っ直ぐ平行に閉じることができるように平らであるが、バイアス部材の相対する端部に内方に向かうように指で力を加えることによって開放され、それらのバイアス部材を互いに外方向に曲げる。パウチは、ネック部分を上方に折り畳んだ状態に保持するために２つの部分からなる締結システムを含んでいる。そのシステムは、ネック部分の一方の側壁の外表面に沿って位置する第一締結部と、ネック部分の他方の側壁の外表面に沿って位置する第二締結部を有している。それらの締結部は、ネック部分が完全に折り畳まれるときインタロックされる外方に突出したインタロック可能なロック要素を有している。
2005516674.tif 000002
【特許請求の範囲】
【請求項１】
その間に空間を有し、上記空間から内容物を排泄するために、上方へネック部分を折り畳むことによって閉鎖され、下方へネック部分を広げることによって開放される、排泄口を終端とする下方へ延びたネック部分を有する、可撓性シート材料からなる側壁を備えた排泄可能なストーマパウチであって、
上記ネック部分の各側壁は上記排泄口に隣接する横方向に延びたバイアス部材を備え、  上記バイアス部材は真っ直ぐ平行に閉じることができるように通常は平らであって、バイアス部材の相対する端部に内方に向かうように指で力を加えることによって開放され、それによってバイアス部材を互いに曲げて上記空間から内容物を排泄するために上記排泄口を開放位置に保持し、
上記バイアス部材は、硬いが可撓性を有するスプリングのようなプラスチック材料からなるストリップを含んでいる、
排泄可能なストーマパウチ。
【請求項２】
上記ストリップが、非弾性および非吸収性である請求項１に記載の排泄可能なストーマパウチ。
【請求項３】
上記ストリップは通常長方形であり、上記ストリップは他のオフセットストリップの対応する端部を越えて延びている端部を有するように、ネック部分を横切るように伸びる方向にオフセットしている請求項１に記載の排泄可能なストーマパウチ。
【請求項４】
上記ストリップは通常長方形であり、上記ストリップは上記ネック部分の一方の側部の端から他方の側部の端にかけて連続的に延びているストリップと大きさ及び形状が一致している請求項１に記載の排泄可能なストーマパウチ。
【請求項５】
上記ストリップは通常長方形であり、上記ストリップは上記ネック部分の幅より短い、ネック部分を横切る方向に測定した長さを有するストリップと大きさ及び形状が一致し、上記ストリップはネック部分及び排泄口に対して中心に位置している請求項１に記載の排泄可能なストーマパウチ。
【請求項６】
上方に折り畳まれた状態にある上記ネック部分を選択的に解除可能に保持するための２つの部分からなる締結システムを有し、上記システムは、上記ネック部分の一方の側壁の外表面に沿って位置する第一締結部と、上記ネック部分の他方の側壁の外表面に沿って位置する第二締結部を有し、上記ネック部分が完全に折り畳まれた状態にあるとき、第一および第二締結部は相互に係合して取り付けられる請求項１、２、３、４または５に記載の排泄可能なストーマパウチ。
【請求項７】
上記ネック部分が少なくとも２回上方に折り畳まれるとき、上記締結部は、インタロックされる外方に突出したインタロック可能なロック要素を有している請求項６に記載の排泄可能なストーマパウチ。
【請求項８】
上記締結部は、マッシュルーム形状であるインタロック可能なロック要素を有しているプラスチックストリップを含んでいる請求項７に記載の排泄可能なストーマパウチ。
【請求項９】
上記ネック部分の相対する側壁上の締結部は、同一のマッシュルーム形状のロック要素を有している請求項８に記載の排泄可能なストーマパウチ。
【請求項１０】
一方の締結部は他方の締結部より排泄口の近くに位置し、上記ネック部分が完全に折り畳まれるとき、他方の締結部は折り畳まれたネック部分を越えて上方に延びて露出している一体の延長部を有している請求項７に記載の排泄可能なストーマパウチ。
【請求項１１】
上記一体の延長部は、インタロック要素を欠いている請求項１０に記載の排泄可能なストーマパウチ。
【請求項１２】
その間に空間を有し、排泄口を終端とする下方へ伸びたネック部分を有する可撓性シート材料からなる平行な側壁を有する排泄可能なストーマパウチであって、
上記排泄口は、上記空間から内容物を排泄するために、上記ネック部分を上方へ折り畳むことによって閉鎖状態にされ、上記ネック部分を下方に広げることによって開放される位置に配置され、
上記ネック部分の一方の側壁の外表面に沿って位置する第一締結部と、上記ネック部分の他方の側壁の外表面に沿って位置する第二締結部を有する、２つの部分からなる締結システムを備え、
上記ネック部分が少なくとも２回上方に折り畳まれるとき、第一および第二締結部は、選択的に解除可能にインタロックされる外方に突出したインタロック可能な要素を有している、
排泄可能なストーマパウチ。
【請求項１３】
第一および第二締結部のインタロック可能な要素は同一である請求項１２に記載の排泄可能なストーマパウチ。
【請求項１４】
第一および第二締結部のインタロック可能な要素はマッシュルーム形状である請求項１３に記載の排泄可能なストーマパウチ。
【請求項１５】
上記ネック部分の各側壁は、上記排泄口に隣接して横方向に伸びるバイアス部材を備え、上記バイアス部材は真っ直ぐ平行に閉じることができるように通常は平らであって、バイアス部材の相対する端部に内方に向かうように指で力を加えることによって開放され、それによってバイアス部材を互いに曲げて上記空間から内容物を排泄するために上記排泄口を開放位置に保持する請求項１２、１３または１４に記載の排泄可能なストーマパウチ。
【請求項１６】
上記バイアス部材は、硬いが可撓性を有し、非吸収性および非弾性で、スプリングのようなプラスチック材料からなる閉鎖ストリップを含んでいる請求項１５に記載の排泄可能なストーマパウチ。
【請求項１７】
上記閉鎖ストリップは通常長方形であり、上記ストリップは他のストリップの対応する端部を越えて延びている端部を有するように、ネック部分を横切るように伸びる方向にオフセットしている請求項１６に記載の排泄可能なストーマパウチ。
【請求項１８】
上記ストリップは通常長方形であり、上記ストリップは上記ネック部分の一方の側部の端から他方の側部の端にかけて連続的に延びているストリップと大きさ及び形状が一致している請求項１６に記載の排泄可能なストーマパウチ。
【請求項１９】
上記ストリップは通常長方形であり、上記ストリップは上記ネック部分の幅より短い、ネック部分を横切る方向に測定した長さを有するストリップと大きさ及び形状が一致し、上記ストリップはネック部分及び排泄口に対して中心に位置している請求項１６に記載の排泄可能なストーマパウチ。
【請求項２０】
一方の締結部は他方の締結部より排泄口の近くに位置し、上記ネック部分が完全に折り畳まれるとき、他方の締結部は上記パウチの折り畳まれたネック部分を越えて上方に延びて露出している一体の延長部を有している請求項１２に記載の排泄可能なストーマパウチ。
【請求項２１】
上記一体の延長部は、インタロック要素を欠いている請求項２０に記載の排泄可能なストーマパウチ。
【発明の詳細な説明】
【技術分野】
【０００１】
本願は、２００２年２月８日に出願された米国仮特許出願番号60/355,489に基づく優先権を主張する。
【背景技術】
【０００２】
排泄可能なストーマパウチは、例えば、ノランの米国特許第3,523,534 号明細書およびジェンセン等の米国特許第4,441,659号 明細書に開示されているように、よく知られている。そのようなパウチは、一般的に、端部に沿って固定され、体内老廃物を受け入れる部屋を有する、相対する平らな側壁を備えている。一方の側壁には、人工肛門受け入れ開口部を備え、人工肛門から排泄される老廃物を空間に受け入れるように患者の腹部にパウチを固定するための手段が設けられる。その下端において、排泄可能なパウチは、老廃物を排泄するために、通常狭いネック部分の端部に設けられる排泄口を有している。老廃物がパウチから排泄されるときまで、排泄口を密閉状態に維持するための閉鎖手段が設けられる。その閉鎖手段は、上記ノラン特許のように、クランプの形態を取ることができるし、上方に巻かれた状態にネック部分を固定するための装置を備えることもできる。当然のことながら、一般的なワイヤの連結材またはラップを上記目的のために使用できる。
【０００３】
排泄可能なパウチは、老廃物を周期的に空にすることによって再使用できるが、効果的に密閉し、密閉されたパウチから臭いが発せられるのを避けることができるように、再使用に先立って、掃除することが必要である。老廃物が直接露出し、患者、特に高齢の患者にとって操作の器用さが要求されることから、ユーザはパウチを開放し、空にし、掃除し、再密封することに困難性を感じたり、不快感を味わったりする。その問題に加えて、パウチの下端部に滞留する固体または液体の老廃物の残部は、パウチの壁を封鎖するか又は占有しやすいので、排泄口に隣接する内表面の掃除を一層困難にするという事実がある。
【発明の開示】
【課題を解決するための手段】
【０００４】
本発明の排泄可能なストーマパウチは、排泄口を終端とする下方へ延びたネック部分を備えるために、端部に沿って連結される可撓性シート材料からなる一般的な側壁を備えている。排泄口は、空間から内容物を排泄するために、上方へネック部分を折り畳むことによって閉鎖され、下方へネック部分を広げることによって開放される。ネック部分の各側壁は、可撓性ではあるが硬いか、又はスプリングのようなポリマー材料からなる閉鎖ストリップの形状である横方向に延びるバイアス部材を備えている。排泄口に隣接するか、又は排泄口近くの相対する側壁に沿って位置するストリップは、通常平らであり、真っ直ぐ平行に閉じる関係にあるが、相対する端部に内方に向かうように指で力を加えることによって開放される。内方に向けて指で力を加えることによって、バイアス部材または閉鎖ストリップは、空間から内容物を排泄するために排泄口を開放状態に保持するために、互いに曲げられる。
【０００５】
排泄可能なストーマパウチの一形態において、バイアス部材は互いに横方向にオフセットしており、一方、パウチの別形態において、バイアス部材は実質的に大きさ及び形状が一致し、バイアス部材は一方の結合端から他方に向けて連続的に又は途切れなく延びている。さらに、排泄可能なストーマパウチの別形態において、バイアス部材は実質的に大きさ及び形状が一致し、一方の結合端から他方に至る距離より短く、そのようなバイアス部材は排泄口に対して中心に位置している。
【０００６】
別の形態として、排泄可能なストーマパウチは、第一の方向（装着者の体から離れる方向）にパウチを折り畳むことによって閉鎖状態にされ、第二の反対方向にパウチを広げることによって開放状態にされる排泄口を有している。２つの部分からなる締結部は、排泄口を選択的に閉鎖状態に保持するために備えられる。その締結部は、排泄口に隣接するか、又は排泄口近くに位置するパウチとつながった第一部分と、第一部分よりは排泄口から離れているパウチとつながった第二部分を含んでいる。もう少し正確に言えば、第一締結部が第二締結部と係合するために対面するようになるまでパウチを折り畳む必要があるので、第二締結部は排泄口から離れている。
【０００７】
さらに、別の形態において、排泄可能なストーマパウチは、パウチの排泄口に通じているネック部分と一体になった２つの部分からなる締結部を有している。締結部は、排泄口に対して第一部分内に配置されて外表面に沿ってロック手段を備えた第一締結ストリップと、排泄口に対して第二部分内に配置されてインタロック可能なロック手段を備えた第二締結ストリップを有している。好都合なことに、各締結ストリップは、その外表面に沿って同一マッシュルーム形状のロック要素の列を有している。ネック部分を折り畳んだ状態に保持しうるように、ネックの相対する側に位置する第一および第二締結ストリップの要素がインタロックされるように、ネック部分は少なくとも２回折り畳むことが可能である。
【０００８】
本発明の他の利点および特徴は、添付図面とともに明細書を参照することによって明らかである。
【発明を実施するための最良の形態】
【０００９】
図１および図２に関して、１０は、一般的に平行な側壁１２と１４を有する排泄可能なストーマパウチを示す。側壁１２と１４は、その間に空間を有するように、１６において端部が連結される。それらは、排泄口２０を終端とする下方へ延びたネック部分１８を有している。これは本発明の一部を構成するものではないが、パウチの残部に対して対称にすることはできるけれども、図においては、ネック部分１８は非対称である。図示されているように、ネック部分１８の側壁１２と１４の各々は、閉鎖ストリップ２２と２４の形状をした、横方向に延びている長方形のバイアス部材を外表面に沿って備えている。それらストリップは、排泄口２０に位置するか又は排泄口２０に隣接して位置し、一般的にオーバーラップする背中合わせの平行関係にある。
【００１０】
図３Ａ−図３Ｃから分かるように、バイアス部材２２と２４は、実質的に閉鎖状態に排泄口２０を維持するように真っ直ぐに平行な関係にあって、一般的に平らである、硬いが可撓性を有する、スプリングのようなプラスチック（ポリマー）ストリップである。しかし、それらは、図３Ｃに示すように、互いに曲げて滑らかにアーチ状に湾曲するように、ストリップ２２と２４の相対する端部に内方に向かうように指で力を加えることによって、ストリップ２２と２４は開放するように曲げられる。このように、排泄口は開放されて、パウチ１０の空間から内容物を排泄するために開放状態に保持される。
【００１１】
図１と図２において、排泄可能なストーマパウチは、図６Ｄに最もよく示されているように、上方に折り畳まれた状態にネック部分１８を選択的に保持するために、２つの部分からなる締結システムを含むことが分かる。２つの部分からなる締結システムは、ネック部分の一方の側に閉鎖ストリップ２４の一方とつながった第一部分２６と、ネック部分の反対側に沿って排泄口から離れている第二部分２８を有している。第二締結部２８は、ネック部分１８を少なくとも２回上方に折り畳むために、排泄口から十分な距離離れている（図６Ａ−図６Ｃ参照）。このように、ネック部分１８を選択的に上方に折り畳んだ状態に保持して、第一締結部２６は第二締結部２８と係合するように、第二締結部２８と対面するようにされる。
【００１２】
図示例において、第一締結部２６は、閉鎖ストリップ２４の外方に面する表面とつながっており、第二締結部２８は、ネック部分１８の相対する壁の外方に面する表面とつながっており、実質的に閉鎖ストリップ２４と大きさ及び形状が一致している。より明確には、第一および第二締結部２６と２８は、一方がネック部分の一方の壁を横切る閉鎖ストリップ２４によって支持され、他方がネック部分の他方の壁の外表面によって支持され、インタロックされたとき、保持力に打ち勝つに十分な係合解除力を備えておらず、そのネック部分を折り畳んだ状態に維持するための保持力を有するように、補完的な材料であることが好ましい。
【００１３】
図１および図２に示す配置において、側壁１２と１４は、実質的に水と気体を通さない可撓性のプラスチックフィルムで形成されている。一方の側壁１４（体に接近した側または体の側面の壁）には、患者に排泄可能なストーマパウチを取り付けるための手段によって囲まれている人工肛門受け入れ口３２を備えている。その取り付け手段は、ツーピースからなる粘着性のフェースプレートに排泄可能なパウチ１０を解除可能に固定するための連結器具３４の形状をしている。その代わりに、分離不可能でフェースプレートと一体になったワンピースとすることもできる。
【００１４】
図３Ａ、図４Ａ、図５Ａにおいて、バイアス部材又は閉鎖ストリップ２２、２４は、図示のように３つの異なる形状を取ることができる。以下に説明する。
【００１５】
図３Ａと３Ｂは、平らで真っ直ぐ平行に閉じた状態にあるように互いに横方向にオフセットした、非対称閉鎖ストリップ２２と２４の形状をしたバイアス部材を示している。すなわち、それらは、側壁１２と１４によって互いに分離され、他方のストリップの対応する端部を越えて各ストリップの一方の端部は（ネック部分１８に対して）横方向に突出している。しかし、閉鎖ストリップ２２と２４は、ストリップの相対する端部に内方に向かうように指で力を加えることによって開放され、それらのストリップを互いに曲げて排泄口２０を開放状態に保持することができる。図３Ｃに示されるように、端部２２ａと２４ａに内方に向かうように指で力を加えることによって、相対する端部２２ｂと２４ｂを閉鎖ストリップ２４と２２の対応する平らな表面２４ｃと２２ｃで支持することができる。
【００１６】
図４Ａと図４Ｂにおいて、通常は平らであって、実質的に大きさ及び形状が一致し、真っ直ぐ平行に閉じた状態にあるように端から端まで連続的に又は間断なく延び、互いに隣接し、側壁１２と１４によって分離されているバイアス部材または閉鎖ストリップ１２２と１２４を示している。しかし、閉鎖ストリップ１２２と１２４は、ストリップの相対する端部に内方に向かうように指で力を加えることによって開放され、それらのストリップを互いに曲げて（図４Ｃ）、排泄口を開放状態に保持することができる。図４Ｃに示すように、ストリップの端部１２２ａ、１２４ａ、１２２ｂおよび１２４ｂに内方に向かうように指で力を加えることによって、排泄口２０を開放状態に保持するために閉鎖ストリップ１２２と１２４を外方に曲げて、対応する端部１２２ａ、１２４ａ、１２２ｂおよび１２４ｂを互いに支持することができる。互いにオフセットしている図３Ａと図３Ｂに示すバイアス部材２２および２４とは違って、バイアス部材１２２と１２４には、ネック部分の少量の老廃物を無理やり押し込めるような力が付加されるように、互いに曲げるための僅かな操作が必要である。
【００１７】
図５Ａと図５Ｂは、通常は平らであって、実質的に大きさ及び形状が一致し、中心にあって、真っ直ぐ平行に閉じた状態にあるようにネック部分１８の端から端までの距離より短く、互いに隣接し、側壁１２と１４によって分離されている閉鎖ストリップ２２２と２２４の形状をしたバイアス部材を示している。図５Ａ−図５Ｃに示されているように、バイアス部材または閉鎖ストリップ２２２と２２４は、ストリップの相対する端部に内方に向かうように指で力を加えることによって開放され、それらのストリップを互いに曲げて、排泄口２０を開放状態に保持することができる。図５Ｃに示すように、本質的に図４Ｃと同様に、バイアス部材２２２と２２４の端部２２２ａ、２２４ａ、２２２ｂおよび２２４ｂに内方に向かうように指で力を加えることによって、排泄口２０を開放状態に保持するためにバイアス部材を外方に曲げて、対応する端部２２２ａ、２２４ａ、２２２ｂおよび２２４ｂを互いに支持することができる。互いにオフセットしている図３Ａと図３Ｂに示すバイアス部材２２および２４とは違って、端部に対して中心に位置する閉鎖ストリップ２２２と２２４には、ネック部分の少量の老廃物を無理やり押し込めるような力が付加されるように、排泄口２０を開放するように、互いに曲げるための僅かな操作が必要である。
【００１８】
図３Ａ−図３Ｃ、図４Ａ−図４Ｃおよび図５Ａ−図５Ｃは、空間の内容物を排泄するために排泄可能なストーマパウチ１０の排泄口を開放状態に保持するためのバイアス部材または閉鎖ストリップの３つの異なる、有効な形態を示している。
【００１９】
閉鎖ストリップ２２、２４、１２２、１２４および２２２、２２４は、内方に向かうような指の力がない場合にバイアス部材を真っ直ぐ平行に閉じた状態に戻す、スプリングのような形状回復機能のある、硬いが可撓性のポリマー材料、例えば、ポリプロピレンのようなポリオレフィンで形成することができる。ストリップのスプリング性および形状回復機能は、内方に向かう指の力が低減されるとき、それらストリップを真っ直ぐにするので、ユーザーは、指の力を変えることによって排泄口を通して老廃物の排泄速度を容易に且つ選択的に制御することができる。各ストリップは、非多孔質で非吸収性で、側壁１２と１４（好ましくはこれらの即壁の外表面）に固定するか、又は側壁内に埋設することができる。そのようなストリップは、硬いが非弾性で非吸収性であるため、容易に操作することができるし、液体および固体の老廃物を吸収することはない。
【００２０】
好ましい実施形態として、２つの締結部２６と２８は、インタロックマッシュルーム要素として製造されている、ドイツ、ホルツガーリンゲンのG.BinderGmbH会社の商標DUOTECの下で売られているポリプロピレン締結具を含むことができる。第一および第二締結部２６、２８としてこの合成材料のストリップを使用することによって、排泄口を、耳に聞こえ、手で触れても分かるような係合解除力を示す、保持力に打ち勝つに十分な係合解除力を備えていない閉鎖状態（図６Ｄ）に保持することができる。図１９と図２０は、インタロックしている第一および第二締結部２６と２８が、それぞれ、基部層２６ａおよび２８ａと一体である離間したマッシュルーム形状の突出部を含むことを示している。２つのインタロック要素は同一であるので、物理的に識別することができる雄／雌要素は必要とされない。また、非吸収性もしくは繊維状材料が使用されるので、同一のマッシュルーム形状の突出部の列を備えた相対する表面は、老廃物を吸収せず、パウチからの排泄処理の後、容易に掃除することができる。その材料は、きつく押されるとき、強固に連結する機能を有しているので、その特徴あるロック動作は、部品がインタロックされるとき、触覚（または聴覚）でわかる信号をユーザに伝え、長手方向または横方向に繰り返し開放して使用することができる。そこで、同一のマッシュルーム形状のインタロック要素の列を備えた締結部を使用することは、この発明を実施する排泄可能なストーマパウチの重要な特徴を構成する。しかしながら、上記した利点の少なくともいくらかを欠いている他のタイプの締結手段、例えば、分離と再結合を繰り返すことが可能な商標ベルクロの下で売られているフックおよびループファスナー、各種のスナップ、インタロックファスナー、および感圧接着被覆などを使用することもできる。
【００２１】
商標DUOTECの下で売られているファスナーで使用されている材料はポリプロピレンであるが、同様の特性を有する他のポリマー材料を使用することができる。
【００２２】
図６Ａ−図６Ｄにおいて、少なくとも２回ネック部分１８を上方に折り畳み、ネック部分１８を上方に折り畳んだ状態に選択的に保持するために第一締結部２６を第二締結部２８とインタロック関係にもってくるに十分な距離だけ、第二締結部２８は排泄口２０から離れているのが好ましい。図６Ａは、閉鎖ストリップ２２と２４の横方向の端部に沿って伸びる折り畳み線３６の回りにネック部分１８を折り畳む状態を示している。図６Ｂは、折り畳み線３６の回りに折り畳みを完了した後のネック部分を示している。図６Ｃは、１回目の折り畳みが完了した後、第二の横方向の折り畳み線３８の回りにネック部分１８を２回目に折り畳む状態を示している。図６Ｄは、ネック部分１８を上方に折り畳んだ状態に選択的に保持するために第一締結部２６を第二締結部２８とインタロック関係にもってくるために、２回目の折り畳みが完了した後のネック部分１８を示している。
【００２３】
図７−図９の実施形態は、第二締結部２８’が、実質的に第一締結部２６より大きい幅（ネック部分１８に接近して延びている縦方向の大きさ）を有することを除けば、すでに説明したものと類似している。第一締結部２６のように、第二締結部２８’は、２回目の折り畳み線３８（図８）に隣接するように位置していた末端部２９を備え、長方形状であるのが好ましい。パウチに対してネック部分１８が完全に折り畳まれるとき、図９に示すように、第二締結部２８’は露出した表面部分２９を有している。露出した部分２９は、第二締結部２８’の延長部を示し、末端３０に隣接する２回面の折り畳み線３８とともにネック部分１８の折り畳みが完了したことを視覚的および触覚的に示す。さらに、その配置は１回面の折り畳み線３６の領域を露出し、ユーザは、露出した部分２９の表面に沿って下方に指を滑らすことによって、２回目の折り畳み線３８を見つけ、容易に広げる操作を開始することができる。そのような操作は、ユーザが末端３１に指で接触し、パウチの壁１２から剥がそうと努力をして第二締結部２８’に直接持ち上げようとする力を加えることによってネック部分１８を広げようとする試みを行うことなく、実行することができる。第二締結部２８’に丈夫なポリマー材料を使用することによる別の重要な利点は、ネック部分の壁１２に固着している延長部２９が、ネック部分が折り畳まれたときパウチの壁に力を付与し、極端な条件の下でパウチの壁１２が引き裂かれるような局部的な力を低減することができる。
【００２４】
パウチのネックが完全に折り畳まれるとき、延長部２９は締結部２６と係合しないので、延長部２９の表面は滑らかにして、突出部またはインタロック要素がない状態にすることもできる。
【００２５】
図７−図９の実施形態に加えて、２つの締結部の一方は、対応する締結部の大きさよりも実質的に大きい、パウチのネック部分１８を横切る方向に測定した大きさを有することができる。この配置において、ユーザは、より大きいストリップの端部を掴んで外側の締結部からストリップを剥がすような力を加えることによって広げる操作を容易に始めることができる。
【００２６】
図１０−図１２において、３１０は、平行な側壁３１２と３１４を有する排泄可能なストーマパウチの別の実施形態を示している。側壁３１２と３１４は、それらの間に空間を有するように端部３１６で連結されている。それらは、３２０を排泄口として終端とする下方に伸びるネック部分３１８を有している。ネック部分３１８の領域における側壁３１２と３１４は、図において３２２と３２４で示す横方向に伸びるバイアス部材または閉鎖ストリップを備えている。閉鎖ストリップは、一般的に背中合わせの平行関係にあるように、排泄口３２０に位置するか又は排泄口３２０に隣接している。
【００２７】
ストリップ２２および２４のように、閉鎖ストリップ３２２と３２４は、硬いが可撓性があり、非吸収性で非弾性でスプリングのような特性を有するナイロン、ポリプロピレンまたは他の適当なポリマー材料で形成することができる。閉鎖ストリップ３２２と３２４は、図３Ａ−図３Ｃ、図４Ａ−図４Ｃ、および図５Ａ−図５Ｃの実施形態に関して記載したのと同じような形状および作用を備えていることが分かる。閉鎖ストリップ３２２と３２４の大きさ、形状および成分は、ストリップ２２および２４と同じにすることができる。それらのストリップ３２２と３２４は、排泄端においてネック部分３１８を横切り、ネック部分の外表面に固定され、通常は真っ直ぐで平ら（または平面状）であるが、互いに外方に曲げることができ、押し込める力が付加されて維持されている間、外方に曲げた状態を保持することができる。
【００２８】
閉鎖ストリップ３２４のすぐ上に、側壁３１４の外表面に固定された、２部分からなる締結システムの第一締結部３２６がある。第一締結部３２６は、上記実施形態で記載したマッシュルーム形状の要素である外方に突出したロック要素を有する締結ストリップの形状を取ることができる。図示例において、ストリップ３２６と３２４は、横方向に伸びるヒンジ３３６によって結合されている。１回目の折り畳み線を構成するヒンジ３３６に沿って、ネック部分の折り畳みを容易にするために、ミシン目を入れることができる。しかし、締結ストリップ３２６と閉鎖ストリップ３２４が互いに連結しているように示されている一方、それらのストリップは、ストリップの間に伸びる側壁３１４の材料の線によって形成されるヒンジ線を備えた、分離した非連結要素とすることもできる。
【００２９】
２部分からなる締結システムの第二締結部３２８は、パウチの排泄口３２０の十分上方にある側壁３１２の外表面に固定された外方に突出したインタロック要素を備えた横方向のストリップの形状を取ることができる。図示例において、締結ストリップ３２８は、すべてが同じ幅である３つのストリップ３２２、３２４および３２６の結合した幅にほぼ近い距離だけ、排泄口３２０の上方に位置している。図１、図２および図６Ａ−図６Ｄの実施形態は、インタロック要素２６および２８を整列させて相互に係合する状態にもっていくのに２回の折り畳み工程を必要とするが、図１０−図１２の実施形態は３回の折り畳み工程を必要とする。それによって、ユーザにはより強固な固定が確保される。締結部または締結ストリップ３２６および３２８は、好ましくはインタフィッティングマッシュルーム形状要素（図１９及び図２０参照）の形状であるインタロック手段を有するので、締結部がインターロックされるとき、ユーザは聴覚で感じることもできる触覚の信号を受ける。
【００３０】
図１２と図１８において、第二締結部３２８は、開口３２０から離れる方向である上方に延びている延長部３２９を有することが分かる。好ましい実施形態において、延長部３２９はインタロック要素を欠いており、第一締結部３２６の突出部とインタロックできない比較的滑らかな不織表面を示している。延長部３２９は、その他の点では、図７−図９の実施形態の延長部２９に関して記載したのと同じように作用する。
【００３１】
図１３−図１６は、ネック部分３１８を折り畳んで密閉状態に保持するための３回の折り畳み工程を示している。図１３は、閉鎖ストリップ３２４と第一締結部または第一締結ストリップ３２６の間の線において１回目の折り畳み線３３６が付与される１回目の折り畳み工程の開始を示している。２回目の折り畳み線３３８は図１４に示す次の折り畳み工程において形成され、３回目および最終の折り畳み線３５０は、第一締結部または第一締結ストリップ３２６と第二締結部または第二締結ストリップ３２８のインタロック要素がインタロックされる、図１５および図１６に示されている。延長部３２９は、インタロックされたストリップの上部に露出され、ネック部分の折り畳みが完了したことを視覚的および触覚的に示す。ユーザが延長部３２９の表面に沿って下方に向けて指を滑らせるとき、指は２回目の折り畳み線３３８に接触して容易に広げる操作を開始することができる。さらに、延長部３２９は、ネック部分の補強側壁３１２において重要な作用を果たし、上方に面する２回目の折り畳み線３３８の直上に横方向の応力線に沿って局部的な力を付与することができる。
【００３２】
上記実施形態において、パウチ１０は、側壁が一般的な方法で端部に沿って連結されるか又は密閉される可撓性のプラスチックフィルムから形成されるものが示された。しかしながら、これらの実施形態は、２つ以上のフィルムを連結するのではなく、連続した管状のプラスチックフィルムを使用することによって、本発明の利点を享受しながら、別の方法で形成することもできる。
【００３３】
本発明のすべての実施形態において、排泄可能なストーマパウチは、パウチのネック部分の端部で排泄口に位置するか又は排泄口に隣接する側壁を横切るように伸びる、可撓性の回復可能形状で、非弾性で非吸収性の閉鎖または硬化ストリップを備えている。２つ以上の折り畳み線が第一および第二締結部をインタロック係合するために必要である。すべての実施形態において、そのような締結部はネック部分の相対する側壁に沿って位置し、理想的にはマッシュルーム形状をしている外方に突出したインタロック要素を有している。ネック部分の端部における閉鎖ストリップは排泄口を容易に開放し、開口部を開放状態に保持し、流れを絞り、開口部を通る老廃物の流出速度を制御するだけでなく、折り畳み線を定め、折り畳みが実際に完了したとき、２つの締結部をインタロック係合にもっていくときにユーザの手助けをするように折り畳まれたネック部分に硬さを付与する。インタロック工程は一連の折り畳み工程の最終工程であり、最終の折り畳みが完了すると同時にインタロックが起こる。
【００３４】
本発明の好ましい実施形態について記載したが、本願発明の技術的範囲および思想を逸脱しない範囲において、当業者であれば変更が可能である。
【図面の簡単な説明】
【００３５】
【図１】横方向にオフセットされた可撓性閉鎖ストリップの形状をしているバイアス部材を有する排泄可能なストーマパウチの正面図である。
【図２】図１の排泄可能なストーマパウチの背面図である。
【図３Ａ】横方向にオフセットされた閉鎖ストリップを有するパウチのネック部分の概略正面図である。
【図３Ｂ】閉鎖状態にある図３Ａの横方向にオフセットされたストリップの端面図である。
【図３Ｃ】開放状態にある図３Ａの横方向にオフセットされたストリップの端面図である。
【図４Ａ】全幅にわたって閉鎖ストリップを有するパウチのネック部分の概略正面図である。
【図４Ｂ】閉鎖状態にある図４Ａのストリップの端面図である。
【図４Ｃ】開放状態にある図４Ａのストリップの端面図である。
【図５Ａ】パウチのネック部分の全幅より短い長さのストリップを中央に有するパウチのネック部分の概略正面図である。
【図５Ｂ】閉鎖状態にある図５Ａのストリップの端面図である。
【図５Ｃ】開放状態にある図５Ａのストリップの端面図である。
【図６Ａ】排泄可能なストーマパウチの排泄口を折り畳んだ状態に確実にするための工程を示す概略図である。
【図６Ｂ】排泄可能なストーマパウチの排泄口を折り畳んだ状態に確実にするための工程を示す概略図である。
【図６Ｃ】排泄可能なストーマパウチの排泄口を折り畳んだ状態に確実にするための工程を示す概略図である。
【図６Ｄ】排泄可能なストーマパウチの排泄口を折り畳んだ状態に確実にするための工程を示す概略図である。
【図７】第一折り畳み工程の初期における排泄可能なストーマパウチの別の形態の概略斜視図である。
【図８】第二折り畳み工程の開始時における図７の排泄可能なストーマパウチの断面図である。
【図９】完全に折り畳まれた状態にある図７の排泄可能なストーマパウチの断面図である。
【図１０】本発明に従った排泄可能なストーマパウチの別の形態の正面図である。
【図１１】完全に折り畳まれた状態にある図１１の排泄可能なストーマパウチの背面図である。
【図１２】図１１の線１２−１２に沿った排泄可能なストーマパウチの拡大概略断面図である。
【図１３】図１２に非常に類似している断面図であるが、折り畳み操作の初期におけるネック部分を示している。図示を明瞭にするために、ネック部分の壁は僅かに離間して描かれ、各々の壁は一本の線によって示されている。
【図１４】１回目の折り畳みがされた後、２回目の折り畳みの開始時における図１０のパウチのネック部分の断面図である。
【図１５】２回目の折り畳みがされた後、３回目の折り畳みの初期における図１０のパウチのネック部分の断面図である。
【図１６】完全に折り畳まれた状態にある図１０のパウチのネック部分の断面図である。
【図１７】パウチの排泄口に隣接するパウチの側壁上の閉鎖ストリップの一つと一体である第一締結部の平面図である。
【図１８】図１０のパウチの反対側の側壁上の排泄口から離れている第二締結部の平面図である。
【図１９】パウチの相対する側壁上に第一および第二締結部を備えた係合要素の拡大詳細図であり、係合要素は非係合状態にある。
【図２０】図１９に非常に類似している拡大図であるが、インタロック関係にある係合要素を示している。
【図１】
2005516674.tif 000003
【図２】
2005516674.tif 000004
【図３Ａ】
2005516674.tif 000005
【図３Ｂ】
2005516674.tif 000006
【図３Ｃ】
2005516674.tif 000007
【図４Ａ】
2005516674.tif 000008
【図４Ｂ】
2005516674.tif 000009
【図４Ｃ】
2005516674.tif 000010
【図５Ａ】
2005516674.tif 000011
【図５Ｂ】
2005516674.tif 000012
【図５Ｃ】
2005516674.tif 000013
【図６Ａ】
2005516674.tif 000014
【図６Ｂ】
2005516674.tif 000015
【図６Ｃ】
2005516674.tif 000016
【図６Ｄ】
2005516674.tif 000017
【図７】
2005516674.tif 000018
【図８】
2005516674.tif 000019
【図９】
2005516674.tif 000020
【図１０】
2005516674.tif 000021
【図１１】
2005516674.tif 000022
【図１２】
2005516674.tif 000023
【図１３】
2005516674.tif 000024
【図１４】
2005516674.tif 000025
【図１５】
2005516674.tif 000026
【図１６】
2005516674.tif 000027
【図１７】
2005516674.tif 000028
【図１８】
2005516674.tif 000029
【図１９】
2005516674.tif 000030
【図２０】
2005516674.tif 000031
【国際調査報告】
2005516674.tif 000032
2005516674.tif 000033
2005516674.tif 000034